(57)【要約】  本発明は、地面または岩に穴をあけるためのボーリングプロセス、特に、衝撃ボーリングまたは回転衝撃ボーリングの間に、ボアクラウン１上の障害を解除するための方法および装置であって、それによって、ボーリングロッド２上に取り付けられかつそれに連結されかつ回転運動および任意選択で衝撃運動を生み出すためにボーリングロッドによって作動されるボアクラウン１によってボアホールが形成される、方法および装置に関する。本発明によれば、ボアクラウン１が妨害され、ボーリングプロセスおよび特にボアクラウン１の別の回転運動の継続が妨げられるとき、ボアクラウン１は、ボーリングロッド２によるボーリング方向と反対方向の直線運動にさらされ、ならびに、ボーリングプロセスを実行するための回転駆動装置と独立して、ボーリングプロセスの間に、ボアクラウン１に面するボーリングロッド２の端部と、ボアクラウン１との間の対応する連結７、９による回転変位の方向に反対する方向の回転運動にさらされる。結果として、ボアクラウン１上の障害を解除した後、ボアホールを簡単にボーリングすることができる。
2009504950.tif 000002
【特許請求の範囲】
【請求項１】
土または岩の物質への穴の掘削、特に、衝撃掘削または回転衝撃掘削の間に、ドリルビット（１）の障害を解除するための方法にして、ドリルロッドアセンブリ（２）上に取り付けられかつそれに連結されかつ回転運動および任意選択で衝撃運動を実行するためにドリルロッドアセンブリ（２）によって作動されるドリルビット（１）によって、ボアホールが形成される方法であって、掘削プロシジャおよび、特に、ドリルビット（１）の任意のさらなる回転運動の継続を妨げるドリルビット（１）の障害時に、ドリルビット（１）に面したドリルロッドアセンブリ（２）の端部とドリルビット（１）との間の適切な連結（７、９）を介した掘削プロシジャの間、掘削プロシジャを実行するための回転駆動装置と独立して、ドリルビット（１）が、ドリルロッドアセンブリ（２）を介して、掘削方向と反対の直線運動、ならびに回転運動方向に反対の方向の回転運動にさらされることを特徴とする、方法。
【請求項２】
ドリルビット（１）に面するドリルロッドアセンブリ（２）の端部と、ドリルビット（１）との間の連結が、少なくとも１つの螺旋状または渦巻形状の窪みあるいは平面加工部（１９）または隆起（７）を含むアダプタ（３）と、ドリルビット（１）に上に提供された相補的な輪郭部（９）とを介して実現され、前記螺旋状または渦巻形状の窪みあるいは平面加工部（１９）あるいは隆起（７）がドリルロッドアセンブリ（２）の長手方向軸に対して大きい傾斜またはピッチを含むことを特徴とする、請求項１に記載の方法。
【請求項３】
ドリルビット（１）に面する端部の外周部の周りに一様に配置された、複数の螺旋状または渦巻形状の輪郭部（７、９、１９）が提供されることを特徴とする、請求項２に記載の方法。
【請求項４】
ドリルロッドアセンブリ（２）またはアダプタ（３）と、ドリルビット（１）との間の輪郭部（７、９、１９）の領域のいくつかの位置で点別の係合のみが提供されることを特徴とする、請求項１、２または３に記載の方法。
【請求項５】
土または岩の物質への穴の掘削、特に、衝撃掘削または回転衝撃掘削の間に、ドリルビット（１）上の障害を解除するための装置にして、ドリルビット（１）が、ドリルロッドアセンブリ（２）上に取り付けられかつボアホールの形成ための回転運動および任意選択で衝撃運動を実行するためのドリルロッドアセンブリ（２）によって作動される装置であって、ドリルビット（１）に面したドリルロッドアセンブリ（２）の端部とドリルビット（１）との間に、少なくとも１つの渦巻形状または螺旋状の連結（７）が提供され、ドリルビット（１）の障害時に、掘削方向と反対にドリルロッドアセンブリ（２）を引き込むとき、ならびに掘削方向と反対に直線運動するときに、該連結（７）がドリルビット（１）に作動して、掘削プロシジャの間、掘削プロシジャを実行するための回転駆動装置と独立して、回転方向に反対の方向の回転運動を実行する、装置。
【請求項６】
少なくとも１つの渦巻形状または螺旋状の連結が、ドリルロッドアセンブリ（２）とドリルビット（１）との間に配置されたアダプタ（３）上に提供された窪みまたは隆起（７）または平面加工部（１９）と、ドリルビット（１）上に提供された相補的な輪郭部（９）とから構成されることを特徴とする、請求項５に記載の装置。
【請求項７】
それぞれ、ドリルロッドアセンブリ（２）またはアダプタ（３）と、ドリルビット（１）との間に、それぞれ等間隔に配置された複数の螺旋状または渦巻形状の輪郭部（７、９、１９）が提供されることを特徴とする、請求項５または６に記載の装置。
【請求項８】
少なくとも１つの螺旋状または渦巻形状の連結あるいは輪郭部（７、１９）が、ドリルロッドアセンブリの長手方向軸に対して大きいピッチまたは傾斜を含むことを特徴とする、請求項５、６または７に記載の装置。
【請求項９】
複数の実質的に点形状または半球の隆起（９）が、ドリルビットに面するアダプタ（３）の端部（６）の渦巻形状または螺旋状の１つまたは複数の窪みまたは１つまたは複数の凹部（７）と協働するためにドリルビット（１）のポケット穴（１１）の中に提供されることを特徴とする、請求項５から８までのいずれか一項に記載の装置。
【請求項１０】
複数の隣接した、渦巻形状の平面加工部（１９）が、それぞれ、アダプタ（３）またはドリルロッドアセンブリ（２）の外側周辺部上に提供され、相補的な平面加工部がドリルビット（１）のポケット穴（１１）の中に提供され、前記平面加工部が、断面に関して、多角形、例えば、六角形の外形をもつことを特徴とする、請求項５から８までのいずれか一項に記載の装置。
【請求項１１】
ドリルロッドアセンブリ（２）および／またはアダプタ（３）の内部に、ドリルビット（１）の作動面（１５）および／またはアダプタ（３）の周辺部の表面に射出する出口チャネルまたはドリルビット（１）の穴（１４、１６）および／またはアダプタ（３）に冷却または洗浄流体を供給するための通過チャネル（１２、１３）が提供されることを特徴とする、請求項５から１０までのいずれか一項に記載の装置。
【請求項１２】
本質的に、知られている方法で、窪みまたは凹部（１８）および／または通過開口（１７）が、ドリルロッドアセンブリ（２）の外側周辺部と、作製されたボアホールの内壁との間の環状スペースを通して、掘削された物質を除去するためにドリルビット（１）の外側周辺部上に提供されることを特徴とする、請求項５から１１までのいずれか一項に記載の装置。
【発明の詳細な説明】
【技術分野】
【０００１】
本発明は、土または岩の物質への穴の掘削、特に、衝撃または回転衝撃による掘削またはボーリングの間に、ドリルビットまたはボアクラウンの障害を解除するための方法にして、ボアホールが、ドリルロッドアセンブリまたはボーリングロッド上に取り付けられかつそれに連結されかつ回転運動および任意選択で衝撃運動を実行するためにドリルロッドアセンブリによって作動されるドリルビットによって形成される、方法に関する。本発明は、さらに、土または岩の物質への穴の掘削、特に、衝撃掘削または回転衝撃掘削の間に、ドリルビットの障害を解除するための装置にして、ドリルビットが、ドリルロッドアセンブリ上に取り付けられかつボアホールの形成のための回転運動および任意選択で衝撃運動を実行するためにドリルロッドアセンブリによって作動される装置に関する。
【背景技術】
【０００２】
衝撃または回転衝撃掘削によって、土または岩の物質にボアホールを作製する状況において、特に互いに対して変位可能なまたは移動可能な土または地面または岩の層で、掘削の間に導入された力および振動によって、ボアホールの内部の岩の層のそのような変位または移動によって、ドリルビットのジャミングまたは妨害または膠着が起こり得る場合がある。そのような場合、掘削の回転駆動装置またはボア穴を作製するためのボーリング装置は、一般に、岩の層の移動時に起こる力に打ち勝つほど、したがって、この場合も、ドリルビットの妨害をうけた状態を解除するほど十分に強く寸法決めされていない。最も好ましい場合、ドリルビットのそのような障害が起こったとき、新しい掘削プロシジャを実行するときに、少なくともドリルロッドアセンブリを再使用するために、不完全なボアホールの中に残されたドリルビットから少なくともドリルロッドアセンブリを分離することを可能にすることができるであろう。最も好ましくない場合、ドリルロッドアセンブリもまた、不完全なボアホールの中に残されなければならず、したがって、必要な強度特性を実現するために、不完全なボアホールの実質的にすぐ隣りに配置されなくてはならない新しい穴の作製に加えて、増加した時間、出費を含み、また、それに従って、金および物質の増加が、ボアホールの中に残されるドリルロッドアセンブリおよび、いずれにしてもボアホールの内部に残されなければならないドリルビットによって、引き起こされるであろう。
【発明の開示】
【発明が解決しようとする課題】
【０００３】
本発明の目的は、新しいボアの作製のために必要な、任意の追加の量の時間、金および物質も回避するためでなく、ドリルビットの障害を解除した後で、不完全なボアホール内のボアの容易な継続または完成をも可能にするために、掘削プロシジャの間のドリルビットの障害を解除するための方法および装置を提供することである。
【課題を解決するための手段】
【０００４】
上述の目的を達成するために、最初に定義された種類の方法は、掘削プロシジャの継続および、特に、ドリルビットの任意のさらなる回転運動をも妨げるドリルビットのまたはボアクラウンの障害のとき、ドリルビットに面するドリルロッドアセンブリの端部と、ドリルビットとの間の適切な連結を介し、掘削プロシジャを実行するための回転駆動装置と独立して、掘削プロシジャの間に、ドリルロッドアセンブリを介して、ドリルビットは、掘削方向に反対の直線運動、ならびに回転運動の方向に反対の回転運動にさらされることを本質的に特徴とする。本発明によれば、ドリルビットが、ドリルビットの障害のとき、ドリルロッドアセンブリを介して、上述の、通常、不十分に強い回転駆動装置と独立して、掘削方向に反対の直線運動だけではなく、掘削プロシジャの間の回転運動の方向に反対の回転運動にもさらされることのために、掘削方向に反対の、ドリルビットの少なくとも部分的な引き込み、および回転運動の同時の達成によって、ドリルビットのジャミングまたは膠着を取り除き、または解除し、したがって、ドリルビットの障害またはジャミングが解除された後で、続けて、障害で中断された不完全なボアホールの掘削プロシジャの継続または完成を可能にすることができる。この状況において、直線駆動装置が、ドリルロッドアセンブリに、したがってドリルビットに、掘削方向に反対に十分に強い引き抜き力を加え、したがって、ボアホールの直線方向にドリルビットの解放をもたらすのに十分に強いことが予期される。ドリルロッドアセンブリとドリルビットとの間に適切な連結を追加で提供することによって、ドリルビットはさらに、掘削プロシジャを実行し、したがって、例えば、隣接する岩の層のわずかな移動によってもたらされるジャムまたは妨害された状態からドリルビットが係合解除することを可能にするために、回転運動の方向に反対の回転運動にさらされる。掘削プロシジャを実行するために、回転運動の方向に反対の前記回転運動を提供することによって、ドリルビットをドリルロッドアセンブリから分離することなく、ドリルビットの障害が解除されたとき、掘削プロシジャをすぐに継続可能であることをさらに保証する。
【０００５】
ドリルロッドアセンブリに引き抜き力を加える間に、回転運動を同時に達成するように容易に製造できる特に信頼性の高い連結を提供するために、好ましい実施形態によって、少なくとも１つの螺旋状または渦巻形状の窪みまたは平面加工部または隆起とドリルビット上に備えられた相補的な輪郭部とを含むアダプタを介して、ドリルビットに面するドリルロッドアセンブリの端部と、ドリルビットとの間の連結が実現され、前記螺旋状または渦巻形状の窪みまたは平面加工部または隆起は、ドリルロッドアセンブリの長手方向軸に対して大きい傾斜またはピッチを含むことが提案される。少なくとも１つの螺旋状または渦巻形状の連結または輪郭部に、ドリルロッドアセンブリの長手方向軸に対して大きいピッチまたは傾斜を提供することによって、掘削方向に反対にドリルロッドアセンブリにそれ相当に強い引き抜き力を加えるとき、掘削プロシジャの間、回転運動の方向に反対の回転運動を得るために適切な力も加えることができるであろう。
【０００６】
ドリルビットの障害を解放または解除するための回転運動を得てそれ相当に強い力を達成し、ドリルビットに面するドリルロッドアセンブリおよび／またはアダプタの、それ相当に相補的なドリルビットの凹部またはポケット穴を受ける端部の外側周辺部にわたって適切な分布を与えるために、さらなる好ましい実施形態によれば、ドリルビットに面する端部の周辺部の周りに一様に配置される、複数の螺旋状または渦巻形状の連結または輪郭部が提供されることが提案される。
【０００７】
特に、ドリルビットの障害を解除するための移動プロシジャの間、ドリルロッドアセンブリおよび／またはアダプタと、ドリルビットとの間の連結の領域で過度の摩擦力を回避するために、さらなる好ましい実施形態によれば、ドリルロッドアセンブリまたはアダプタとドリルビットとの間の輪郭部の領域において、いくつかの位置での点別の係合のみが提供されることが提案される。そのようないくつかの位置での点別の係合が、直線引き抜き運動および掘削プロシジャの間の回転方向に反対の回転運動を同時に達成するために必要な力の伝達に十分であり、例えば、ドリルビットとドリルロッドアセンブリとの間の連結の領域における過度の摩擦力によって、直線引き抜き運動および回転運動の望ましい同時の達成を可能にするであろう。
【０００８】
最初に述べられた目的を解決するために、初期に定義された種類の装置は、さらに、ドリルビットに面したドリルロッドアセンブリの端部とドリルビットとの間に、少なくとも１つの渦巻形状または螺旋状の連結が提供され、ドリルビットの障害時に、掘削方向と反対にドリルロッドアセンブリを引き込むとき、ならびに掘削方向と反対に直線運動するときに、該連結がドリルビットに作動して、掘削プロシジャの間、掘削プロシジャを実行するための回転駆動装置と独立して、回転方向に反対の方向の回転運動を実行することを実質的に特徴とする。したがって、すでに上で指摘されたように、簡単な、信頼性の高い方法で、ドリルビットの障害またはジャミングを解除するために、掘削プロシジャを実行するときに直線引き抜き運動と、回転方向と反対の回転運動とを同時に加えるための適切な要素を提供することができるであろう。
【０００９】
作製するのが容易である、正確に適合する実施形態を得るために、少なくとも１つの渦巻形状または螺旋状の連結が、ドリルロッドアセンブリとドリルビットとの間に配置されたアダプタ上に提供された窪みまたは隆起または平面加工部と、ドリルビット上に提供された相補的な輪郭部とから構成されることが好ましくは提案される。
【００１０】
力を、任意選択で大きな力さえも、一様に導入することを保証するために、好ましい実施形態によれば、それぞれ、ドリルロッドアセンブリまたはアダプタと、ドリルビットとの間に、それぞれ等間隔に配置された複数の渦巻形状または螺旋状の連結または輪郭部が提供されることは提案される。
【００１１】
ドリルロッドアセンブリからドリルビットへの、同時に作動する引き抜き力および回転運動の信頼性の高い伝達を可能とするために、本発明による装置のさらなる好ましい実施形態に対応するように、少なくとも１つの螺旋状または渦巻形状の連結または輪郭部が、ドリルロッドアセンブリの長手方向軸に対して大きいピッチまたは傾斜を含むことがさらに提供される。
【００１２】
すでに上で指摘したように、ドリルロッドアセンブリおよび／またはアダプタとドリルビットとの間の過度の摩擦力の導入は、できるだけ回避するべきである。この状況において、さらなる好ましい実施形態によれば、複数の実質的に点形状または半球状の隆起が、ドリルビットに面するアダプタの端部上の１つまたは複数の渦巻形状または螺旋状の窪みまたは１つまたは複数の凹部と協働するためにドリルビットのポケット穴の中に備えられることが提案される。
【００１３】
アダプタまたはドリルロッドアセンブリならびにドリルビットの両方の全体の周辺部の上の力の一様な分布のために、さらなる好ましい実施形態によれば、複数の隣接した、渦巻形状の平面加工部が、それぞれ、アダプタまたはドリルロッドアセンブリの外側周辺部上に提供され、相補的な平面加工部がドリルビットのポケット穴の中に提供され、前記平面加工部は、断面に関して、多角形、例えば、六角形の外形をもつことが提案される。そのような螺旋形多角形は、設計するのが容易であり、同時に信頼性の高い結合を提供する。
【００１４】
掘削プロシジャの間における、ドリルビットおよび／またはアダプタの信頼性の高い冷却および／または洗浄のために、本発明による装置のさらなる好ましい実施形態に対応するように、ドリルロッドアセンブリおよび／またはアダプタの内部に、ドリルビットの作動面および／またはアダプタの周辺部の表面に射出する出口チャネルまたはドリルビットの穴および／またはアダプタに冷却または洗浄流体を供給するための通過チャネルが提供されることがさらに提案される。
【００１５】
掘削プロシジャの間の、掘削された物質の信頼性の高い運搬のために、したがって掘削プロシジャの実現の間の、ドリルビットの障害またはジャミングの可能性をさらに少なくするためにも、窪みまたは凹部および／または通過開口が、ドリルロッドアセンブリの外側周辺部と作製されたボアホールの内壁との間の環状スペースを通して、掘削された物質を除去するために、本質的に知られている方法で、ドリルビットの外側周辺部上に備えられることがさらに好ましく提供される。
【００１６】
以下に、本発明が、添付の図面に概略的に説明された例示的な実施形態によって、より詳細に説明される。
【発明を実施するための最良の形態】
【００１７】
図１から４より、全体として１で示される、ドリルビットまたはボアクラウンと、全体として２で示される、ドリルロッドアセンブリまたはボーリングロッドとの間に、アダプタ３が提供されることは明らかであり、前記ドリルロッドアセンブリ２は、概略的に４で示されるねじ連結を介して、アダプタ３に連結され、アダプタ３は別に図５に示される。
【００１８】
特に、図５から明らかなように、アダプタ３は、ドリルビット１に面するその端部６の外側周辺部において、図３において概略的に８で示される長手方向軸に対して、大きいピッチまたは傾斜をもつ複数の螺旋状または渦巻形状の窪み７を含む。アダプタ３の端部６の外側周辺部に提供された、螺旋状または渦巻形状の窪みまたは連結または輪郭部７は、ドリルビット１の点形状の、または半球の隆起９と協働し、隆起９は、図３および４により詳細に示されかつアダプタ３への、したがって、ドリルロッドアセンブリ２へのドリルビット１の信頼性の高い固定を可能にする。
【００１９】
例えば、ドリルビット１の領域における岩の層の変位または移動によって引き起こされ、したがって掘削プロシジャの次の継続を妨害する、掘削プロシジャの間のドリルビット１の障害の場合には、ドリルロッドアセンブリ２、したがってアダプタ３ならびにドリルビット１は、通常の掘削または採掘方向とは反対に走る運動方向をもった、矢印１０の方向の直線引き抜き運動にさらされる。
【００２０】
アダプタ３の自由端６を受けるために、ドリルビットのポケット穴１１の内部に提供された対応する隆起９を、アダプタ３またはドリルビットに面するその端部６上に提供された渦巻形状または螺旋状の窪み７の協働によって、渦巻形状または螺旋状の連結または輪郭部７に沿ったドリルビット１の回転運動は、同時に、引き抜き運動１０を与えることによってもたらされ、したがって、ドリルビット１の直線引き抜き運動および同時のドリルビット１の回転運動によって、ドリルビット１の障害の解放および解除を可能にする。したがって、ドリルビット１を解放した後で、知られている方法で、ボアホールから突出するドリルロッドアセンブリ２の端部に係合する、知られている駆動手段で挿入されたアダプタ３を介して、ドリルロッドアセンブリ２に、したがってドリルビット１に適切に作動することによって、掘削プロシジャをすぐに継続することができる。
【００２１】
適切な冷却または洗浄効果を提供するために、さらに、ドリルロッドアセンブリ２とアダプタ３の両方は、それぞれ、１２および１３で示される通過チャネルを備え、通過チャネルはドリルビット１のそれぞれの出口チャネルまたは穴１４に開いており、次いで、穴１４は、ドリルビット１の作動面１５上に射出する。さらに、アダプタ３も、掘削された物質の運搬を促進するために通過チャネル１３から分かれる出口チャネル１６を備えている。
【００２２】
ドリルビット１の作動面１５の領域から掘削された物質を除去するために、さらに、通過開口１７が、ドリルビット１の外側周辺部に備えられる。さらに、ドリルビット１は、その外側周辺部に適切な窪み１８を含み、同様に、ドリルビット１の作動面１５の領域から物質の信頼性の高い除去を可能にする。
【００２３】
窪み７および隆起９によって形成された複数の周辺に分布された連結要素を含む、図１から５に示された実施形態の代わりに、ドリルビット１の掘削方向の反対の直線引き抜き運動を加えるとき、掘削プロシジャ間に、回転運動の方向に反対の方向に、適切な回転運動を与える単一の連結でもよい。
【００２４】
アダプタ３またはその端部６に渦巻形状または螺旋状の窪み７を備える代わりに、ドリルビット１またはポケット穴１１は、対応する輪郭部、特に、アダプタ３の端部６の周辺部に備えられた隆起と協働する適切な窪みまたは溝を備えることもできる。
【００２５】
図面に示されたアダプタ３の代わりに、ドリルビットに面するドリルロッドアセンブリ２の端部は、ドリルビット１の対応する輪郭部と協働し、したがってアダプタ３のための追加の製造コストを回避する、適切な渦巻形状または螺旋状の窪みまたは隆起を、直接備えることができる。
【００２６】
アダプタ３を使用するとき、特にドリルロッドアセンブリ１の従来の設計は、ドリルロッドアセンブリ２の特別の実施形態がドリルビット１の簡単な障害の解除を達成するように備える必要はなくてよい。ボーリングされる土または岩の物質の性質ゆえに、変位または移動のためにドリルビットの障害またはジャミングを恐れねばならない場合には、従来のドリルロッドアセンブリ２を使用し、アダプタ３ならびにそれに整合するドリルビット１を備えることによって、掘削プロシジャを、すぐに実行することができ、したがって、特に、特別のドリルロッドアセンブリ要素の製造を不要にすることができ、したがって在庫管理を容易にすることができる。
【００２７】
この場合も３で示されるアダプタの図６および７に表された実施形態から、アダプタが詳細には示されないドリルビットに面する、この場合も６で示されるその端部に、複数の螺旋状または渦巻形状の平面加工部１９を備え、図７から特に明らかなように、前記平面加工部が、断面において、多角形、特に六角形の外形を形成することが、この場合も明らかである。アダプタ３の端部６上に前記螺旋状または渦巻形状の平面加工部１９を備え、ならびに、多角形の形状を形成する、それぞれの相補的平面加工部を備える、詳細には示されていないドリルビットのポケット穴１１を設計することによって、固着したドリルビット１を解放して、ボアホールの次の完成を可能にするためのドリルロッドアセンブリおよびアダプタ３の引き抜きのとき、掘削方向に反対の方向に回転運動を、図６および７には詳細には示されていないドリルビットに、この場合も与えることができる。
【００２８】
図６および７に示された螺旋状多角形の実質的に六角形の外形の代わりに、例えば４、５、７またはそれ以上の隆起を含む、それ相当に変更された多角形の外形を使用することも、もちろんできる。
【００２９】
さらに、隣接する平面加工部１９が、アダプタ３の円筒形端部６の外側周辺部によって画定される丸いゾーン２０によって、それぞれ連結されることが、図６および７に示される。
【図面の簡単な説明】
【００３０】
【図１】本発明の方法を実行するための本発明による装置のドリルビットの上面図である。
【図２】図１に示されたドリルビットの背面図である。
【図３】図１の線ＩＩＩ−ＩＩＩに沿った断面図である。
【図４】図３のものに類似した図における、図１の線ＩＶ−ＩＶに沿った断面図である。
【図５】図１から４によるドリルビットとドリルロッドアセンブリとの間で使用されるアダプタの第１実施形態の側面図である。
【図６】図５のものに類似した図における、ドリルビットとドリルロッドアセンブリとの間で使用されるアダプタの修正された実施形態の側面図である。
【図７】図６に対して拡大されたスケールにおける図６の線ＶＩＩ−ＶＩＩに沿った断面図である。
【図１】
2009504950.tif 000003
【図２】
2009504950.tif 000004
【図３】
2009504950.tif 000005
【図４】
2009504950.tif 000006
【図５】
2009504950.tif 000007
【図６】
2009504950.tif 000008
【図７】
2009504950.tif 000009
【国際調査報告】
2009504950.tif 000010
2009504950.tif 000011
2009504950.tif 000012
2009504950.tif 000013